(57)【特許請求の範囲】
【請求項１】
下地材（２）と、板状の断熱・防音材（２６）と、細長い板状の下部ベース（８ａ）に一体的に且つ所定間隔を存して複数の垂直部（８ｂ）が形成され、該各垂直部（８ｂ）の上端に矢尻状に係合体（８ｃ）が形成された吊子（８）と、平板部（１０ａ）の両側に該平板部（１０ａ）に対して直角に立ち上り部（１０ｃ）（１０ｄ）が屈折形成され該両立ち上り部（１０ｃ）（１０ｄ）の上部に略同形のわん曲部（１０ｅ）（１０ｆ）が形成された長尺帯状の金属製外囲板（１０）とを備え、前記吊子（８）の垂直部（８ｂ）を前記下地材（２）上の互いに所定間隔を存する平行線Ｌに沿って複数配置し、該各吊子（８）の下部ベース（８ａ）を前記下地材（２）に固定し、前記断熱・防音材（２６）に前記各吊子（８）の係合体（８ｃ）を貫通させて、該断熱・防音材（２６）を前記下地材（２）上に敷設し、前記垂直部（８ｂ）の列と、この列と対向する垂直部（８ｂ）の列との間に位置させて、前記断熱・防音材（２６）上に前記外囲板（１０）を載置し、該外囲板（１０）の一側のわん曲部（１０ｆ）を対応する前記係合体（８ｃ）に嵌合し、該外囲板（１０）の他側のわん曲部（１０ｅ）を対応する係合体（８ｃ）に、隣接する他の外囲板（１０）の一側のわん曲部（１０ｆ）の上から嵌合し、前記断熱・防音材（２６）上に複数の外囲板（１０）を展開支持せしめ、前記外囲板（１０）のわん曲部（１０ｅ）（１０ｆ）のうち、隣接する他の外囲板（１０）の一側のわん曲部（１０ｆ）の上から嵌合する外側嵌合用のわん曲部（１０ｅ）の開放端に外側にわん曲する挿入ガイド部（１０ｇ）を設けたことを特徴とする外囲体。
【請求項２】
前記下部ベース（８ａ）の両端と該下部ベース（８ａ）の両端に最も近い垂直部（８ｂ）との距離を前記下部ベース（８ａ）上の複数の垂直部（８ｂ）間の距離の１／２としたことを特徴とする請求項１に記載の外囲体。
【発明の詳細な説明】
【０００１】
【発明の属する技術分野】
本発明は、断熱・防音効果の優れた、屋根あるいは、外壁に用いられる外囲体に関する。
【０００２】
【従来の技術】
従来、下地材と金属の屋根板との間にグラスウールなどの板状の断熱・防音材を充填配置する場合には、まず、下地材上に断熱・防音材を敷設し、しかる後に、この断熱・防音材の上から金属屋根板を結合するための吊子の下部ベースを下地材に固定している。
【０００３】
【発明が解決しようとする課題】
断熱・防音材の上から吊子の下部ベースを下地材に固定すると、この吊子の取付部において、断熱・防音材がつぶれてしまい、下地材上に、断熱・防音材を平面状に連続して展開させることができず、充分な断熱・防音効果を得ることができなかった。
本発明は、上記問題点を解決することを目的とするものである。
【０００４】
【課題を解決するための手段】
上記目的を達成するため、本発明は、下地材（２）と、板状の断熱・防音材（２６）と、細長い板状の下部ベース（８ａ）に一体的に且つ所定間隔を存して複数の垂直部（８ｂ）が形成され、該各垂直部（８ｂ）の上端に矢尻状に係合体（８ｃ）が形成された吊子（８）と、平板部（１０ａ）の両側に該平板部（１０ａ）に対して直角に立ち上り部（１０ｃ）（１０ｄ）が屈折形成され該両立ち上り部（１０ｃ）（１０ｄ）の上部に略同形のわん曲部（１０ｅ）（１０ｆ）が形成された長尺帯状の金属製外囲板（１０）とを備え、前記吊子（８）の垂直部（８ｂ）を前記下地材（２）上の互いに所定間隔を存する平行線Ｌに沿って複数配置し、該各吊子（８）の下部ベース（８ａ）を前記下地材（２）に固定し、前記断熱・防音材（２６）に前記各吊子（８）の係合体（８ｃ）を貫通させて、該断熱・防音材（２６）を前記下地材（２）上に敷設し、前記垂直部（８ｂ）の列と、この列と対向する垂直部（８ｂ）の列との間に位置させて、前記断熱・防音材（２６）上に前記外囲板（１０）を載置し、該外囲板（１０）の一側のわん曲部（１０ｆ）を対応する前記係合体（８ｃ）に嵌合し、該外囲板（１０）の他側のわん曲部（１０ｅ）を対応する係合体（８ｃ）に、隣接する他の外囲板（１０）の一側のわん曲部（１０ｆ）の上から嵌合し、前記断熱・防音材（２６）上に複数の外囲板（１０）を展開支持せしめ、前記外囲板（１０）のわん曲部（１０ｅ）（１０ｆ）のうち、隣接する他の外囲板（１０）の一側のわん曲部（１０ｆ）の上から嵌合する外側嵌合用のわん曲部（１０ｅ）の開放端に外側にわん曲する挿入ガイド部（１０ｇ）を設けたものである。
【０００５】
【発明の実施の形態】
以下に本発明の構成を外囲体を屋根として用いた添付図面に示す実施の形態を参照して詳細に説明する。
図１において、２は建物４の梁上に固設された下地材であり、木材或いは、コンクリート或いはデッキプレート等により構成されている。前記下地材２の上には、防水シート材から成るルーフィング（図示省略）が敷設されている。６はゴム、グラスウールその他の熱伝達防止材から成る断熱パッドであり、ルーフィングの上から下地材２上に敷設されている。
【０００６】
８は鉄などから成る吊子であり、細長帯板状の下部ベース８ａと、後述する外囲板１０の横幅と略同一間隔Ｓを存して下部ベース８ａに立設された３本の帯板状の垂直部８ｂと、該垂直部８ｂの上端に固設されたアングル板から成る矢尻形状の係合体８ｃとから構成されている。前記係合体８ｃは垂直部８ｂに溶接によって固着されている。
【０００７】
前記下部ベース８ａの両端ａと、該両端に最も近い垂直部８ｃとの距離は垂直部８ｃ間距離Ｓの１／２に設定されている。吊子８は、複数、下地材２上に用意され、各下部ベース８ａが、棟１２（図４参照）に対して水平方向に配列される。水平方向に複数列配列された各吊子８の係合体８ｃは、建物４の棟１２に対して直角な互いに所定間隔を有する平行線Ｌ上に複数配置される。
【０００８】
各、下部ベース８ａは断熱パッド６を介して、ルーフィング６の上から下地材２に固定されている。前記係合体８ｃは、先細りの先端頂部１４と、該頂部１４の両側に下方に延びる傾斜面１６，１８と、斜め下向きＶ字状のあご部２０，２２とを備えている。
【０００９】
１０は、鉄や鋼板等の金属板から成る長尺帯状の外囲板であり、平板部１０ａの両側に曲面部１０ｂを介して該平板部１０ａに対して上向き直角方向に立ち上り部１０ｃ，１０ｄが形成されている。前記立ち上り部１０ｃの上部には、図６に示すように、内側嵌合用のわん曲部１０ｆが形成され、前記立ち上り部１０ｄの上部には前記わん曲部１０ｆと略同形の、外側嵌合用のわん曲部１０ｅが形成されている。前記内側嵌合用のわん曲部１０ｆには、凹入部２４が屈曲形成されている。前記外側嵌合用のわん曲部１０ｅの開放端には、外側にわん曲する挿入ガイド部１０ｇが、該わん曲部１０ｅの全長にわたって形成されている。２６はグラスウールなどから成る板状の断熱・防音材である。
次に、下地材２上に外囲板を屋根として組み立てる作業について説明する。
【００１０】
まず、下地材２上に、図４に示すように棟１２に対して水平な平行線上に複数個の吊子８の下部ベース８ａを配置する。各平行線に沿って各平行線ごとに複数配列された吊子８の係合体８ｃは、図４に示すように、棟１２に対して直角で互いに平行な線Ｌ上に配置される。該各吊子８の各下部ベース８ａを、断熱パッドを介して、ビス２８によって、ルーフィングの上から下地材２に固着する。このとき、吊子８は、あご部２０，２２が、棟１２に対して直角な対応する平行線Ｌに対して対称と成る。
【００１１】
次に、各吊子８の上から板状の断熱・防音材２６を吊子８の係合体８ｃに突き刺し、貫通させて、断熱・防音材２６を、下地材２上に平面状に敷設する。次に、外囲板１０の一方のわん曲部１０ｅを、図４中、最も左側の縦列の吊子８の係合体８ｃに嵌合し、この外囲板１０の他方のわん曲部１０ｆを、次の縦列の対応する吊子８の係合体８ｃに嵌合する。この時、外囲板１０の平板部１０ａは、図１に示すように断熱・防音材２６の上面に載置される。
【００１２】
次に、外囲板１０の他方の内側嵌合用のわん曲部１０ｆが嵌合された縦列上の係合体８ｃと、これに隣接する図１中、左側の縦列上の係合体８ｃとの間に、他の外囲板１０が配置され、この外囲板１０の一方の外側嵌合用のわん曲部１０ｅが、隣接する右側の外囲板１０の他方の内側嵌合用のわん曲部１０ｆの上から対応する縦列上の係合体８ｃに嵌合される。そして、この、他の外囲板１０の他方の内側嵌合用のわん曲部１０ｆは、図１中、左側の対応する縦列上の係合体８ｃに嵌合される。外側嵌合用のわん曲部１０ｅを、図６に示す如く、予め係合体８ｃに嵌合している内側嵌合用のわん曲部１０ｆに嵌合する作業は、外側嵌合用のわん曲部１０ｅに挿入ガイド部１０ｇが形成されているため、確実、且つ容易に行うことができる。
【００１３】
このようにして、順次、一対の縦列の一方側の係合体８ｃと他方側の係合体８ｃ間に外囲板１０が図１の如く配置され、外囲板１０の両側部が吊子８の係合体８ｃに嵌合し、各外囲板１０は、係合体８ｃを介して結合される。外囲板１０のわん曲部１０ｅ，１０ｆは、吊子８の係合体８ｃに嵌合すると、先端近傍が係合体８ｃのあご部２０，２２に係合し、この係合によって、外囲板１０の、吊子８の係合体８ｃからの離脱が阻止される。
【００１４】
外囲板１０の一方のわん曲部１０ｅは、これに隣接する他の外囲板１０の他方のわん曲部１０ｆと密嵌するが、両者間に凹入部２４の存在により隙間が形成され、この隙間によって、雨水の毛細管現象による進入を遮断し、外囲板２４の内側に雨水が浸入するのを防止している。尚、本実施の形態では、図５に示すように、係合体８ｃの長手方向を、下部ベース８ａの長手方向に対して直角な方向に設定したが、係合体８ｃの長手方向を、下部ベース８ａの長手方向と平行な方向に設定しても良い。
【００１５】
【効果】
本発明は、上述の如く、吊子を断熱・防音材に貫通させて、下地材上に断熱、防音材を平面状に展開敷設し、この断熱・防音材上に外囲板を支持展開させたので、断熱・防音材に押しつぶされる箇所がなくなり、断熱・防音効果を向上させることができる。又、吊子は、細長状の下部ベースに複数本の垂直部を立設し、各垂直部に係合体を設けたので、吊子の設置作業が容易となる。又、外囲板の外側嵌合用のわん曲部の開放端に外方にわん曲する挿入ガイド部を設けたので、外囲板の外側嵌合用わん曲部を他の外囲板の内側嵌合用わん曲部に嵌合する作業を確実且つ容易に行うことができる等の効果が存する。
【図面の簡単な説明】
【図１】外囲体の断面図である。
【図２】外囲体の外観説明図である。
【図３】吊子の一部の外観図である。
【図４】屋根の下地材に吊子を固設した状態の外観説明図である。
【図５】吊子の外観図である。
【図６】外囲板接合部の正面図である。
【符号の説明】
２      下地材
４      建物
６      断熱パッド
８      吊子
８ａ    下部ベース
８ｂ    垂直部
８ｃ    係合体
１０    外囲板
１０ｇ  挿入ガイド部
１２    棟
１４    先端頂部
１６    傾斜面
１８    傾斜面
２０    あご部
２２    あご部
２４    凹入部
２６    断熱・防音材
【図１】
0003620005.tif 000002
【図２】
0003620005.tif 000003
【図３】
0003620005.tif 000004
【図４】
0003620005.tif 000005
【図５】
0003620005.tif 000006
【図６】
0003620005.tif 000007